(57)【要約】【解決手段】本明細書では、全体的に、単一無線ハンドオーバを用いたネットワーク間のインターワーキングシステムおよび方法の実施形態が記載される。その他の実施形態も記載され、権利請求される。【選択図】図１
2013521704.tif 000002
【特許請求の範囲】
【請求項１】
ネットワーク間のインターワーキング（ｉｎｔｅｒｗｏｒｋｉｎｇ）方法であって、
第１ネットワークのアクセスポイント（ＡＰ）から信号を受信する段階と、
前記信号を調べて、サービスセットＩＤ（ＳＳＩＤ）を識別する段階と、
前記第１ネットワークを用いて第２ネットワークにアクセスするネットワーク間のインターワーキングを前記ＡＰがサポートしているかを、前記ＳＳＩＤを用いて判断する段階と、
前記第１ネットワークにアソシエーションし、ワイファイ（ＷｉＦｉ）インターワーキング機能（ＷＩＦ）エレメントを用いて前記第２ネットワークにアクセスする段階と
を備える方法。
【請求項２】
前記ＡＰは、キャリアクラスＷｉＦｉ  ＡＰ（ｃａｒｒｉｅｒ−ｃｌａｓｓ  ＷｉＦｉ  ＡＰ）である請求項１に記載の方法。
【請求項３】
前記ＳＳＩＤは、インターワーキング（ＩＷＫ）ＳＳＩＤである請求項１に記載の方法。
【請求項４】
複数のＳＳＩＤから前記ＩＷＫ  ＳＳＩＤを選択する段階をさらに備え、各ＳＳＩＤは別の仮想ローカルエリアネットワーク（ＶＬＡＮ）にマップされている請求項３に記載の方法。
【請求項５】
前記ＷＩＦエレメントは、認証・認可・アカウンティング（ＡＡＡ）機能、シングリング転送機能（ＳＦＦ）、およびモバイルインターネットプロトコル（ＩＰ）フォーリンエージェント（ＦＡ）もしくはデータパス機能を有する請求項３に記載の方法。
【請求項６】
前記ＳＳＩＤは、ブロードキャストＳＳＩＤである請求項１に記載の方法。
【請求項７】
前記第１ネットワークはＷｉＦｉネットワークであり、前記第２ネットワークはワイマックス（ＷｉＭＡＸ）ネットワークである請求項１に記載の方法。
【請求項８】
ネットワークエントリ方法であって、
第１ネットワークおよび第２ネットワークを介して通信するよう構成されたステーション（ＳＴＡ）を用いて、前記第１ネットワークから第１信号を受信する段階と、
前記第１ネットワークとのアソシエーションを構築する段階と、
アクセスポイント（ＡＰ）を介してＷｉＦｉインターワーキング機能（ＷＩＦ）エレメントに拡張可能認証プロトコル（ＥＡＰ）メッセージを送信することにより、前記第２ネットワークにおいて前記ＳＴＡを認証する段階と、
動的ホスト構成プロトコル（ＤＨＣＰ）発見メッセージを送信して、ＤＨＣＰサーバを見つける段階と、
ＤＨＣＰオファーメッセージを受信する段階と、
ＤＨＣＰ要求メッセージにより前記ＤＨＣＰオファーメッセージに応答する段階と、
前記ＷＩＦエレメントからアクナレッジメントを受信する段階と、
前記第１ネットワークを用いて前記第２ネットワーク上でデータを送信する段階と
を備える方法。
【請求項９】
前記第１ネットワークは、ワイファイ（ＷｉＦｉ）ネットワークであり、前記第２ネットワークは、ワイマックス（ＷｉＭＡＸ）ネットワークである請求項８に記載の方法。
【請求項１０】
前記ＳＴＡは、前記ＷＩＦエレメントの認証・認可・アカウンティング（ＡＡＡ）プロキシに拡張可能認証プロトコル（ＥＡＰ）メッセージを送信することにより、前記第２ネットワークで認証される請求項９に記載の方法。
【請求項１１】
前記ＤＨＣＰ発見メッセージは、前記ＷＩＦに送信される請求項８に記載の方法。
【請求項１２】
前記ＤＨＣＰオファーメッセージは、前記ＷＩＦから受信される請求項８に記載の方法。
【請求項１３】
前記ＤＨＣＰ要求メッセージは、前記ＷＩＦに送信される請求項１２に記載の方法。
【請求項１４】
前記ＡＰは、マルチプルブロードキャストサービスセットＩＤ（ＢＳＳＩＤ）をサポートするよう構成されている請求項８に記載の方法。
【請求項１５】
単一無線ハンドオーバ方法であって、
単一無線ステーション（ＳＴＡ）を用いて第１ネットワークに接続する段階と、
第２ネットワークの利用可能性を検出する段階と、
前記第２ネットワークの信号転送機能（ＳＦＦ）のアドレスを見つけ出す段階と、
前記第２ネットワークの前記ＳＦＦにトンネルを構築する段階と、
前記トンネルを介して前記第２ネットワークに最初のエントリを実行する段階と、
前記第２ネットワークの基地局にハンドオーバを実行する段階と
を備える方法。
【請求項１６】
前記第１ネットワークは、ワイファイ（ＷｉＦｉ）ネットワークであり、前記第２ネットワークは、ワイマックス（ＷｉＭＡＸ）ネットワークである請求項１５に記載の方法。
【請求項１７】
前記ＷｉＭＡＸネットワークの前記ＳＦＦに前記トンネルを構築する段階は、前記ＳＦＦにＳＴＡ基本的機能（ＳＢＣ）要求を送信する段階を有する請求項１６に記載の方法。
【請求項１８】
前記ＷｉＭＡＸネットワークの前記ＳＦＦに前記トンネルを構築する段階は、プライバシー鍵管理（ＰＫＭ）/ＥＡＰの交換を含む請求項１７に記載の方法。
【請求項１９】
第１ネットワーク上で通信するための第１プロトコル層と、前記第１ネットワークを介して第２ネットワーク上で通信するための第２プロトコル層とを備える単一無線ステーション（ＳＴＡ）であって、第１ネットワークのアクセスポイント（ＡＰ）から信号を受信し、前記信号を調べてサービスセットＩＤ（ＳＳＩＤ）を識別して前記ＡＰがネットワーク間のインターワーキングをサポートしているかを判断し、前記第１ネットワークにアソシエーションしてワイファイ（ＷｉＦｉ）インターワーキング機能（ＷＩＦ）エレメントを用いて前記第２ネットワークにアクセスするＳＴＡ。
【請求項２０】
動的ホスト構成プロトコル（ＤＨＣＰ）を用いて前記第２ネットワークを見つけ出す請求項１９に記載のＳＴＡ。
【請求項２１】
インターワーキング（ＩＷＫ）ＳＳＩＤを受信する請求項１９に記載のＳＴＡ。
【請求項２２】
前記ＡＰによって送信される複数のＳＳＩＤから前記ＩＷＫ  ＳＳＩＤを探し出す請求項２１に記載のＳＴＡ。
【請求項２３】
前記ＳＳＩＤは、キャリアクラスＷｉＦｉ  ＡＰからのブロードキャストＳＳＩＤ（ＢＳＳＩＤ）である請求項１９に記載のＳＴＡ。
【請求項２４】
前記第１ネットワークはＷｉＦｉネットワークであり、前記第２ネットワークはワイマックス（ＷｉＭＡＸ）ネットワークである請求項１９に記載のＳＴＡ。
【請求項２５】
第１ネットワークのアクセスポイント（ＡＰ）から信号を受信する段階と、
前記信号を調べてサービスセットＩＤ（ＳＳＩＤ）を識別する段階と、
前記第１ネットワークを用いて第２ネットワークにアクセスするネットワーク間のインターワーキングを前記ＡＰがサポートしているかを、前記ＳＳＩＤを用いて判断する段階と、
前記第１ネットワークにアソシエーションし、ワイファイ（ＷｉＦｉ）インターワーキング機能（ＷＩＦ）エレメントを用いて前記第２ネットワークにアクセスする段階と
を備える方法を実行するよう機械により実行可能なプログラムを格納する有形機械可読媒体を備える物品。
【請求項２６】
前記ＳＳＩＤは、インターワーキング（ＩＷＫ）ＳＳＩＤである請求項２５に記載の物品。
【請求項２７】
前記第１ネットワークはＷｉＦｉネットワークであり、前記第２ネットワークはワイマックス（ＷｉＭＡＸ）ネットワークである請求項２５に記載の物品。
【発明の詳細な説明】
【技術分野】
【０００１】
本開示は、一般的に、無線通信の分野に関し、特に、異機種ネットワーク間のマルチネットワーキング機能を有する無線システムを用いるネットワーク間のインターワーキング（ｉｎｔｅｒｗｏｒｋｉｎｇ）に関する。
【背景技術】
【０００２】
無線通信がオフィス、家庭、および学校で普及するにつれ、いつでも、および／または、どこでも、コンピュータ操作および通信を行いたいとの要望に応えるべく、多様な無線技術および応用方法が利用可能となってきている。たとえば、多様な無線通信ネットワークが共存することで、コンピュータ操作および／または通信のためのさらなる機能を提供し、移動性がより高く、および／または最終的にはシームレスなローミングを可能にする無線環境が提供されるだろう。
【０００３】
特に、無線パーソナルエリアネットワーク（ＷＰＡＮ）によって、たとえば、オフィスの作業空間もしくは家庭内の部屋等の比較的に狭い空間内における高速短距離接続が提供される。無線ローカルエリアネットワーク（ＷＬＡＮ）では、オフィスビル、家庭、学校等においてＷＰＡＮよりも広い範囲が提供される。無線メトロポリタンエリアネットワーク（ＷＭＡＮ）の範囲は、たとえば、広い地理的領域にわたって建築物を互いに接続することによって、ＷＬＡＮよりも広くなっている。無線広域ネットワーク（ＷＷＡＮ）では、これらのネットワークがセルラー・インフラストラクチャにおいて広域に展開されているので、さらに広い範囲が提供される。上記の無線通信ネットワークのそれぞれにおいて様々な利用法がサポートされているが、これらのネットワークのうち２つ以上にまたがってシームレスにインターワーキングする機能があれば便利であろう。
【図面の簡単な説明】
【０００４】
発明と見なされる主題は、明細書の締め括りの部分において、詳細に指摘し、明確に権利請求する。しかし、発明は、動作の構成および方法の両方に関して、それらの目的、特性、および利点とともに、以下の詳細な記載を添付の図面と合わせて読むことで、最良に理解されるであろう。
【図１】いくつかの実施形態に係る無線ネットワークを示す。
【図２】多様な実施形態に係るステーション（ＳＴＡ）のブロック図である。
【図３】いくつかの実施形態に係るネットワーク間のインターワーキングのためのアーキテクチャのブロック図である。
【図４】いくつかの実施形態に係るインターワーキング機能エレメントを示す別のブロック図である。
【図５】いくつかの実施形態に係るインターワーキング機能エレメントを用いたネットワークエントリを示す。
【図６】いくつかの実施形態に係る以前からのコンテキストがない場合の単一無線ハンドオーバを示す。
【図７】いくつかの実施形態に係る待機モード（ｉｄｌｅ  ｍｏｄｅ）での単一無線ハンドオーバを示す。
【図８】いくつかの実施形態に係る以前からのコンテキストがある場合の単一無線ハンドオーバを示す。
【図９】いくつかの実施形態に係るインターワーキング機能においてアクセス制御を行う単一無線ハンドオーバを示す。
【図１０】いくつかの実施形態に係るネットワーク間のインターワーキング方法のフローチャートである。  図示を簡潔かつ明瞭にするべく、図面に示されるエレメントは、必ずしも原寸に比例して示されていない。たとえば、エレメントのうちいくつかのものの寸法を他のエレメントよりも拡大して明瞭性を期している。さらに、適切であると判断される場合は、図面間で参照番号を繰り返して、対応エレメントもしくは類似エレメントを示している。
【発明を実施するための形態】
【０００５】
以下の詳細な記載では、単一無線ハンドオーバを用いてネットワーク間のインターワーキングを行うための数多くの特定的詳細事項を明記して、本発明の完全な理解を促す。しかし、本発明は、これらの特定的詳細事項がなくても実施されうることは、当業者には理解されるだろう。その他の例では、本発明が曖昧とならないように、周知の方法、手順、部品、および回路については記載していない。
【０００６】
マルチ無線システム、または、同時にもしくはほぼ同時に２つの分離されたネットワーク上で共通無線を介して動作する機能を持たない単一無線システムを用いて、ネットワーク間でのインターワーキングを行うシステムおよび方法を提供することは、本技術分野における進歩であろう。このようにネットワーク間のインターワーキングを行うことで、プラットホーム、ステーション（ＳＴＡ）、移動ＳＴＡ、発展型移動ＳＴＡ、および加入者ＳＴＡ等のシステムにおいて、認証情報を１つで済ませ、ローミングを行い、一括して料金請求し、ハンドオーバを最適化することが可能になる。
【０００７】
たとえば、ワイファイ（ＷｉＦｉ）ネットワーク等の第１ネットワークを用いて、ワイマックス（ＷｉＭＡＸ）ネットワーク等の第２ネットワークに、単一無線ハンドオーバを用いてアクセスする。この実施形態では、ＷｉＦｉネットワークはＷＬＡＮであり、ＷｉＭＡＸネットワークはＷＷＡＮである。ＷｉＦｉは、多くの公共の場、会社、および居住環境で広く利用可能となっている。ＷｉＦｉはその無認可特性によりあまり広いエリアを範囲とすることができないが、他方でＷｉＭＡＸは、広い屋外環境を範囲とするよう設計されたセルラー技術である。しかし、ＷｉＭＡＸは、屋内環境においては、妥当な受信エリアを提供できない。１つ以上のＷＬＡＮおよび１つ以上のＷｉＭＡＸネットワークを組み合わせることで、屋内および屋外にわたるユビキタスな受信エリアが提供される可能性がある。ユーザの１つ以上の実行中のセッションを著しく中断させることなく、透過的な方法で、１つのネットワークから別のネットワークに移行できるネットワーク間のインターワーキングを可能にするシステムおよび方法があれば、便利である。
【０００８】
図面を参照すると、図１は、本発明のいくつかの実施形態に係る無線通信システム１００を示す。無線通信システム１００は、一般的に、１１０、１２０、および１３０として示される１つ以上の無線ネットワークを備えてよい。特に、無線通信システム１００は、無線ワイドエリアネットワーク（ＷＷＡＮ）１１０、無線ローカルエリアネットワーク（ＷＬＡＮ）１２０、および無線パーソナルエリアネットワーク（ＷＰＡＮ）１３０を備えてよい。図１では３つの無線ネットワークが示されているが、無線通信システム１００に備えられる無線通信ネットワークの数は、これより多くても少なくてもよい。たとえば、無線通信システム１００は、１つ以上の無線パーソナルエリアネットワーク（ＷＰＡＮ）、追加的なＷＬＡＮ、ＷＷＡＮ、および／またはＷＭＡＮを備えてよい。本明細書に記載される方法および装置は、この点において限定されない。
【０００９】
無線通信システム１００は、複数の無線を用いて複数の無線ネットワークにアクセスできる、一般的にマルチ無線ステーション１３５として示されるプラットホーム、クライアント、加入者ステーション、移動局、および発展型移動局等の１つ以上のステーション（ＳＴＡ）と、単一無線周波数（ＲＦ）モジュールもしくは通信装置によって構成されているために、同時にもしくはほぼ同時に２つの異なる無線を動作させる機能を持たない単一無線ステーション１４０とを備える。たとえば、ＳＴＡ１３５および１４０は、デスクトップコンピュータ、ラップトップコンピュータ、ハンドヘルドコンピュータ、タブレットコンピュータ、携帯電話、スマートホン、ページャ、音声および／または映像再生装置（たとえば、ＭＰ３プレーヤもしくはＤＶＤプレーヤ）、ゲーム装置、ビデオカメラ、デジタルカメラ、ナビゲーション装置、（たとえば、ＧＰＳ装置）、無線周辺機器（たとえば、プリンタ、スキャナ、ヘッドセット、キーボード、マウス等）、医療装置（たとえば、心拍数モニタ、血圧モニタ等）、および／またはその他の適切な固定型、携帯型、もしくは移動体の電子装置等の無線電子装置であってよい。図１では、７つのＳＴＡが示されているが、無線通信システム１００に備えられるＳＴＡ１３５および１４０は、それより多くても少なくてもよい。
【００１０】
ＳＴＡ１３５および１４０は、スペクトラム拡散変調（たとえば、ダイレクトシーケンス符号分割多重アクセス（ＤＳ−ＣＤＭＡ）および／または周波数ホッピング符号分割多重アクセス（ＦＨ−ＣＤＭＡ））、時分割多重（ＴＤＭ）変調、周波数分割多重（ＦＤＭ）変調、直交周波数分割多重（ＯＦＤＭ）変調、直交周波数分割多重アクセス（ＯＦＤＭＡ）、マルチキャリア変調（ＭＤＭ）、および／または無線リンクを介して通信するためのその他の適切な変調技術等の多様な変調技術を用いてよい。
【００１１】
ある実施形態では、ＳＴＡ１３５および１４０は、ダイレクトシーケンススペクトラム拡散（ＤＳＳＳ）変調および／または周波数ホッピングスペクトラム拡散（ＦＨＳＳ）変調を用いて、ＷＬＡＮ１２０（たとえば、電気電子技術者協会（ＩＥＥＥ）により開発された８０２．１１系規格、並びに／またはこれらの規格の修正版および発展版）を実施してよい。たとえば、ＳＴＡ１３５および１４０は、ＷＬＡＮ１２０においてその他のＳＴＡ１３５および１４０と、または無線リンクを介してアクセスポイント１２５と、通信してよい。ＡＰ１２５は、ルータ（不図示）に動作可能に接続してよい。または、ＡＰ１２５およびルータは、単一の装置（たとえば、無線ルータ）に統合してよい。
【００１２】
ＳＴＡ（たとえば、マルチ無線ステーション１３５および単一無線ステーション１４０）は、ＯＦＤＭもしくはＯＦＤＭＡ変調を用いて、無線周波数信号を異なる周波数で同時に送信される複数の小さいサブ信号に分割することにより、大量のデジタルデータを送信してよい。特に、ＳＴＡ１３５および１４０は、ＯＦＤＭＡ変調を用いてＷＷＡＮ１１０を実施してよい。たとえば、ＳＴＡは、固定型、携帯型、および／または移動体の広帯域無線アクセス（ＢＷＡ）ネットワークを提供するべくＩＥＥＥにより開発された８０２．１６系規格（たとえば、２００４年に公開されたＩＥＥＥ規格８０２．１６）に準拠して動作し、基地局もしくは発展型基地局１０５と無線リンクを介して通信してよい。
【００１３】
上記の例のいくつかは、ＩＥＥＥにより開発された特定の規格に関して記載されたが、本明細書に開示される方法および装置は、その他の利益集団および／または規格開発組織（たとえば、ワイファイ（ＷｉＦｉ）アライアンス、ワイマックス（ＷｉＭＡＸ）フォーラム、赤外線通信協会（ＩｒＤＡ）、スリージーピーピー（３ＧＰＰ）等）により開発された多くの仕様および／または規格に容易に適用できる。いくつかの実施形態では、アクセスポイント１２５および／または基地局１０５は、ＩＥＥＥ８０２．１１（ａ）、８０２．１１（ｂ）、８０２．１１（ｇ）、８０２．１１（ｈ）、および／または８０２．１１（ｎ）規格を含む電気電子技術者協会（ＩＥＥＥ）規格、および／またはＷＬＡＮに対して提案されている仕様等の特定の通信規格に準拠して通信してよいが、本発明の範囲はこの点において限定されておらず、その他の技術および規格に準拠して通信を送受するのに適切であってよい。いくつかの実施形態では、アクセスポイント１２５および／または基地局１０５は、ＩＥＥＥ８０２．１６−２００４、ＩＥＥＥ８０２．１６（ｅ）、およびＩＥＥＥ８０２．１６（ｍ）規格並びにそれらの修正版および発展版に準拠して通信してよいが、本発明の範囲はこの点において限定されておらず、その他の技術および規格に準拠して通信を送受するのに適切であってよい。
【００１４】
ＩＥＥＥ８０２．１１およびＩＥＥＥ８０２．１６規格に関するさらなる情報については、「情報技術のためのＩＥＥＥ規格――システム間の遠隔通信および情報交換」−ローカルエリアネットワーク−特定の要件−パート１１：「無線ＬＡＮ媒体アクセス制御（ＭＡＣ）および物理層（ＰＨＹ）、ＩＳＯ／ＩＥＣ８８０２−１１：１９９９」、およびメトロポリタンエリアネットワーク−特定の要件−パート１６：「固定広帯域無線アクセスシステム用の空気界面」２００５年５月、および関連の修正／バージョンを参照されたい。
【００１５】
ＷＷＡＮ１１０およびＷＬＡＮ１２０は、インターネット、電話網（たとえば、公衆交換電話網（ＰＳＴＮ））、ローカルエリアネットワーク（ＬＡＮ）、ケーブルネットワーク、および／またはイーサネット（登録商標）への接続を介するその他の無線ネットワーク、デジタル加入者回線（ＤＳＬ）、電話回線、同軸ケーブル、および／または任意の無線接続等を含む共通の公衆ネットワークまたはプライベートネットワーク１４５に動作可能に接続してよい。一例では、ＷＬＡＮ１２０は、ＡＰ１２５を介して共通の公衆ネットワークまたはプライベートネットワーク１４５に動作可能に接続されてよく、ＷＷＡＮ１１０は、基地局１０５を介して共通の公衆ネットワークまたはプライベートネットワーク１４５に動作可能に接続されてよい。
【００１６】
ＳＴＡ１３５および１４０は、ＷＷＡＮ１１０をサポートするべくその他の無線通信プロトコルに準拠して動作してよい。特に、これらの無線通信プロトコルは、グローバル・システム・フォー・モバイル・コミュニケーションズ（ＧＳＭ（登録商標））技術、広帯域符号分割多元接続（ＷＣＤＭＡ）技術、ジェネラル・パケット・ラジオ・サービス（ＧＰＲＳ）技術、強化データＧＳＭ（登録商標）環境（ＥＤＧＥ）技術、ロング・ターム・エボリューション（ＬＴＥ）、ユニバーサル・モバイル・テレコミュニケーションズ・システム（ＵＭＴＳ）技術、これらの技術に基づく規格、これらの規格の修正版および発展版、並びに／またはその他の適切な無線通信規格等を含む、アナログ、デジタル、および／またはデュアルモードの通信システム技術に基づいたものであってよい。
【００１７】
無線通信システム１００は、携帯電話システム、衛星システム、パーソナルコミュニケーションシステム（ＰＣＳ）、双方向ラジオシステム、一方向ページャシステム、双方向ページャシステム、パーソナルコンピュータ（ＰＣ）システム、携帯情報端末（ＰＤＡ）システム、パーソナルコンピューティングアクセサリ（ＰＣＡ）システム、および／またはその他の任意の適切な通信システムを実施するべく、ネットワークインターフェース装置および周辺装置（たとえば、ネットワークインターフェースカード（ＮＩＣ））、アクセスポイント（ＡＰ）、再分配ポイント、エンドポイント、ゲートウェイ、ブリッジ、ハブ等のその他のＷＰＡＮ、ＷＬＡＮ、ＷＷＡＮ、および／またはＷＭＡＮ装置（不図示）を備えてよい。いくつかの例を記載したが、本開示の範囲はこれらに限定されない。
【００１８】
図２は、本発明の多様な実施形態に係る単一無線ステーション１４０のブロック図を示す。単一無線ステーション１４０は、相互接続ネットワークもしくはバス２０４に接続された１つ以上のホストプロセッサもしくは中央演算処理装置（ＣＰＵ）２０２（本明細書では、まとめて「プロセッサ（ｐｒｏｃｅｓｓｏｒｓ）２０２」、またはより一般的に「プロセッサ（ｐｒｏｃｅｓｓｏｒ）２０２」と呼ぶ）を有してよい。プロセッサ２０２は、汎用プロセッサ、ネットワークプロセッサ（コンピュータネットワークを介して伝達されるデータを処理する）等（縮小命令セットコンピュータ（ＲＩＳＣ）プロセッサまたは複数命令セットコンピュータ（ＣＩＳＣ）を含む）の任意の種類のプロセッサであってよい。さらに、プロセッサ２０２は、単一コア設計または多重コア設計であってよい。多重コア設計のプロセッサ２０２は、同一の集積回路（ＩＣ）ダイ上に異なる種類のプロセッサコアを集積したものであってよい。また、多重コア設計のプロセッサ２０２は、対称もしくは非対称のマルチプロセッサとして実施されてよい。
【００１９】
プロセッサ２０２は、多様な実施形態において、個別（ｐｒｉｖａｔｅ）におよび／または共有（ｓｈａｒｅｄ）で用いられる１つ以上のキャッシュ２０３を含んでよい。一般的に、キャッシュ２０３は、他の場所に記憶されもしくは以前に計算された元データに対応するデータを記憶する。メモリアクセス待ち時間を減らすべく、データは、一旦キャッシュ２０３に記憶されると、その後の使用は、元データを再度フェッチしたり、元データを再計算したりする代わりに、キャッシュされたコピーにアクセスすることにより行われる。キャッシュ２０３は、マルチコムプラットホーム（ｍｕｌｔｉ−ｃｏｍ  ｐｌａｔｆｏｒｍ）２００の１つ以上の構成要素により用いられる電子データ（たとえば、命令を含む）を記憶するレベル１（Ｌ１）キャッシュ、レベル２（Ｌ２）キャッシュ、レベル３（Ｌ−３）キャッシュ、中間レベルキャッシュ、最終レベルキャッシュ（ＬＬＣ）等の任意の種類のキャッシュであってよい。
【００２０】
チップセット２０６をさらに相互接続ネットワーク２０４に接続してよい。チップセット２０６は、メモリ制御ハブ（ＭＣＨ）２０８を含んでよい。ＭＣＨ２０８は、メモリ２１２に接続されたメモリコントローラ２１０を含んでよい。メモリ２１２は、たとえば、プロセッサ２０２、または単一無線ステーション１４０の構成要素と通信するその他の任意の装置により実行される命令のシーケンスを含むデータを格納してよい。多様な実施形態において、メモリ２１２は、ランダムアクセスメモリ（ＲＡＭ）、ダイナミックＲＡＭ（ＤＲＡＭ）、シンクロナスＤＲＡＭ（ＳＤＲＡＭ）、スタティックＲＡＭ（ＳＲＡＭ）、等の１つ以上の揮発性ストレージもしくはメモリ装置を含んでよい。ハードディスク等の不揮発性メモリを用いてもよい。マルチプロセッサおよび／またはマルチシステムメモリ等のさらなる装置を相互接続ネットワーク２０４に接続してよい。
【００２１】
ＭＣＨ２０８は、たとえばグラフィックスアクセラレータを介してディスプレイ２１６に接続されるグラフィックスインターフェース２１４をさらに含んでよい。多様な実施形態において、たとえば、フラットパネルディスプレイまたは陰極線管であってよいディスプレイ装置２１６は、たとえば、映像メモリもしくはシステムメモリに記憶されたデジタル形式の画像をディスプレイにより解釈かつ表示される表示信号に変換する信号変換器を介して、グラフィックスインターフェース２１４に接続されてよい。ディスプレイ装置２１６により生成された表示信号は、多様な制御装置を通過してから、ディスプレイ装置２１６により解釈かつその後に表示されるようにしてよい。
【００２２】
図２に示すように、ハブインターフェース２１８は、ＭＣＨ２０８を入出力制御ハブ（ＩＣＨ）２２０に接続してよい。ＩＣＨ２２０は、単一無線ステーション１４０に接続された入出力（Ｉ／Ｏ）装置へのインターフェースであってよい。ＩＣＨ２２０は、周辺装置相互接続（ＰＣＩ）ブリッジ、ユニバーサルシリアルバス（ＵＳＢ）コントローラ等の周辺装置ブリッジもしくはホストコントローラ２２４を介してバス２２２に接続されてよい。コントローラ２２４は、プロセッサ２０２と周辺装置との間にデータパスを提供してよい。その他の形態のトポロジを用いてもよい。また、たとえば、複数のブリッジもしくはコントローラを介して、複数のバスをＩＣＨ２２０に接続してよい。たとえば、バス２２２は、１９９８年９月２３日のユニバーサルシリアルバス仕様改定版１．１、および／または２０００年４月２７日のユニバーサルシリアルバス仕様改訂版２．０（これらの改定版に対するその後の修正も含む）に準拠したものであってよい。または、バス２２２は、その他の種類および構成のバスシステムであってよい。さらに、ＩＣＨ２２０に接続されるその他の周辺装置としては、多様な実施形態において、集積ドライブエレクトロニクス（ＩＤＥ）もしくはスカジ（ＳＣＳＩ）に準拠するハードドライブ、ＵＳＢポート、キーボード、マウス、パラレルポート、シリアルポート、フロッピー（登録商標）ディスクドライブ、デジタル出力サポート（たとえば、ＤＶ端子（ｄｉｇｉｔａｌ  ｖｉｄｅｏ  ｉｎｔｅｒｆａｃｅ（ＤＶＩ））等が挙げられる。
【００２３】
バス２２２は、音声装置２２６、１つ以上の回転ディスクドライブもしくは固体ディスクドライブ２２８、および多様な実施形態においてネットワークインターフェースカード（ＮＩＣ）もしくはチューナーカードである通信装置２３０に接続されてよい。バス２２２にはその他の装置を接続してもよい。また、多様な実施形態において、通信装置２３０を含む多様な構成要素をＭＣＨ２０８に接続してよい。さらに、単一チップを形成するべく、プロセッサ２０２およびＭＣＨ２０８を組み合わせてよい。
【００２４】
さらに、単一無線ステーション１４０は、揮発性および／または不揮発性のメモリもしくはストレージを有してよい。たとえば、不揮発性メモリとしては、読み出し専用メモリ（ＲＯＭ）、プログラマブルＲＯＭ（ＰＲＯＭ）、消去可能ＰＲＯＭ（ＥＰＲＯＭ）、電気的ＥＰＲＯＭ（ＥＥＰＲＯＭ）、ディスクドライブもしくは固体ドライブ（たとえば、２２８）、フロッピー（登録商標）ディスク、コンパクトディスクＲＯＭ（ＣＤ−ＲＯＭ）、デジタル多用途ディスク（ＤＶＤ）、フラッシュメモリ、磁気光ディスク、および命令を含む電子データを記憶可能なその他の種類の不揮発性機械可読媒体のうちの１つ以上であってよい。
【００２５】
メモリ２１２は、多様な実施形態において、オペレーティングシステム（Ｏ／Ｓ）２３２、アプリケーション２３４、デバイスドライバ２３６、バッファ２３８、機能ドライバ２４０、および／またはプロトコルドライバ２４２のうちの１つ以上を含んでよい。メモリ２１２に記憶されるプログラムおよび／またはデータは、メモリ管理動作の一環として、固体ドライブ２２８にスワップされてよい。プロセッサ３０２は、ＷＬＡＮ１２０またはＷＷＡＮ１１０に接続された１つ以上のコンピューティング装置とともに、多様なコマンドを実行し、１つ以上のパケット２４６を処理する。多様な実施形態において、パケットは、少なくとも１つの送信機から少なくとも１つの受信機に（たとえば、ネットワーク１０２等のネットワークを介して）送信される１つ以上の電気信号に符号化された１つ以上の記号および／または値のシーケンスであってよい。たとえば、各パケットは、連続性カウンタ、同期バイト、送信元アドレス、宛先アドレス、パケット型等のパケットのルーティングおよび／または処理に用いられる情報を含むヘッダを有してよい。また、各パケットは、パケットによって各ステーション間で伝達される原データ（ｒａｗ  ｄａｔａ）もしくはコンテンツを含むペイロードを有してよい。
【００２６】
多様な実施形態において、アプリケーション２３４は、Ｏ／Ｓ２３２を用いて、単一無線ステーション１４０の多様な構成要素と、たとえばデバイスドライバ２３６および／または機能ドライバ２４０を介して通信してよい。たとえば、デバイスドライバ２３６および機能ドライバ２４０は、互いに異なるカテゴリに用いてよく、たとえば、デバイスドライバ２３６は、包括的なデバイスクラス属性を管理してよく、機能ドライバ２４０は特定的なデバイス属性（たとえば、ＵＳＢ向けコマンド）を管理してよい。多様な実施形態では、デバイスドライバ２３６は、パケットデータを記憶する１つ以上のバッファを割り当ててよい。
【００２７】
図２に示すように、通信装置２３０は、基地局１０５、アクセスポイント１２５、および／またはその他のＳＴＡ（たとえば、マルチ無線ステーション１３５および単一無線ステーション１４０）との間でネットワークパケットを送受する物理通信層を実施するための第１ネットワークプロトコル層２５０および第２ネットワークプロトコル層２５２を含む。通信装置２３０は、データを送受するべくバッファ２３８にパケットデータを書き込むダイレクトメモリアクセス（ＤＭＡ）エンジン２５２をさらに含んでよい。さらに、通信装置２３０は、通信装置関連の動作を実行する、たとえばプログラマブルプロセッサ等のロジックを含むコントローラ２５４を含んでよい。多様な実施形態において、コントローラ２５４は、ＭＡＣ（媒体アクセス制御）コンポーネントであってよい。通信装置２３０は、任意の種類の揮発性／不揮発性メモリ（たとえば、１つ以上のキャッシュ、および／またはメモリ２１２に関連して上記したその他の種類のメモリ）等のメモリ２５６、およびアンテナ２６２をさらに含んでよい。アンテナ２６２は、信号を送受するための単一構造またはアレイ状の複数構造であってよい。
【００２８】
多様な実施形態において、通信装置２３０は、通信装置２３０の構成要素により実行される多様な機能の管理に用いられるファームウェア（またはソフトウェア）を記憶するファームウェア記憶装置２６０を含んでよい。記憶装置２６０は、不揮発性記憶装置等の任意の種類の記憶装置であってよい。たとえば、記憶装置２６０は、ＲＯＭ、ＰＲＯＭ、ＥＰＲＯＭ、ＥＥＰＲＯＭ、ディスクドライブ、フロッピー（登録商標）ディスク、ＣＤ−ＲＯＭ、ＤＶＤ、フラッシュメモリ、磁気光ディスク、および命令を含む電子データを記憶することができるその他の種類の不揮発性機械可読媒体のうちの１つ以上を含んでよい。
【００２９】
多様な実施形態において、バス２２２は、ＵＳＢバスであってよい。等時モード（ｉｓｏｃｈｒｏｎｏｕｓ  ｍｏｄｅ）は、ＵＳＢ装置の４つのデータフロー型のうちの１つである（その他は、制御、割り込み、およびバルクである）。等時モードは、映像ソースもしくは音声ソース等の種類のマルチメディアデータをストリーミングするにおいて、一般的に用いられる。等時モードでは、装置はバス上のバンド幅を予約することができるので、等時モードはマルチメディア用途には望ましい。単一無線ＳＴＡ１４０は、ＷＷＡＮ１１０およびＷＬＡＮ１２０等の２つのネットワーク上で、同じ通信装置２３０を用いて、同時にではないが、通信を行うよう構成してよい。ネットワークエントリには比較的長い時間がかかるので、これによって、ネットワーク間のインターワーキングが困難になってしまうおそれがあり、サービスの中断もしくはサービスの喪失につながってしまう。
【００３０】
図３は、いくつかの実施形態に係るネットワーク間でインターワーキングするためのシステムのブロック図である。単一無線ステーション１４０は、第１サービスセットＩＤ（ＳＳＩＤ）３０６を使い、インターワーキングアクセスポイント（ＡＰ）１２５を介して、ＷＬＡＮ１２０へのアクセスを構築する。別の実施形態では、インターワーキングＡＰ３１０は、ネットワーク間インターワーキング機能を有するＳＴＡをその他のＳＴＡから分離するキャリアクラスＷｉＦｉアクセスポイントであり、および／または、第１ＳＳＩＤ  ３０６は、ブロードキャストＳＳＩＤ（ＢＳＳＩＤ）である。単一無線ステーション１４０は、別の仮想ローカルエリアネットワーク（ＶＬＡＮ）にマップされている第１ＳＳＩＤ  ３０６を使い、ユーザトラフィックを介して、インターワーキングＡＰ３１０と通信する。ネットワーク間でインターワーキングするよう設定された単一無線ステーション１４０等の装置は、ＷＬＡＮ１２０において、インターワーキングＳＳＩＤを探索することができる。インターワーキングＡＰ３１０は、ネットワーク間インターワーキング機能を有するものも有さないものもある単一無線ステーション１４０を含む複数のＳＴＡと通信しうる。さらに、インターワーキングＡＰは、第２ＳＳＩＤ  ３０７を使って、マルチ無線ＳＴＡ１３５を含む１つ以上のその他のＳＴＡとも通信しうる。
【００３１】
ＷＬＡＮ１２０等の第１ネットワークとＷＭＡＮ１１０等の第２ネットワークとの間でインターワーキングするよう設定された装置は、第１ネットワークにおいてインターワーキングＳＳＩＤを探索してよい。インターワーキングＡＰ３１０は、複数のブリッジされたネットワークどうしで共通の物理的ネットワークリンクを透過的に共有できるようにするネットワーク構築規格（ｎｅｔｗｏｒｋｉｎｇ  ｓｔａｎｄａｒｄ）等のリンクを使用することができる。使用しうる一例としては、ＶＬＡＮトラフィックを、たとえばイーサネット（登録商標）スイッチもしくはルータ３１５等のトンネル終端点にトンネルするＩＥＥＥ８０２．１Ｑプロトコルがある。８０２．１Ｑプロトコルの使用により、通常のインターネットとインターワーキングトラフィックとを分離することができ、また、同一のインターワーキングＡＰ３１０上で単一無線ＳＴＡ１４０およびマルチ無線ＳＴＡ１３５等の多様な装置に同一のインターネットプロトコル（ＩＰ）アドレスを割り当てることも可能になる。スイッチ／ルータ３１５は、ネットワークインフラストラクチャ３２０にリンクされて、インターネットおよびインターネットプロトコルサービス３５０へのアクセスを提供する。
【００３２】
スイッチ／ルータ３１５は、ＷｉＦｉインターワーキングファンクション提供手段（ＷＩＦ）３２５のエレメントにも接続されている。ＷＩＦ３２５は、第１ネットワークと第２ネットワークとの間に位置するネットワークエレメントであり、ＷＬＡＮ１２０としてのＷｉＦｉネットワークおよびＷＭＡＮ１１０としてのＷｉＭＡＸネットワーク等の両ネットワークへのインターフェースである。ＷＩＦ３２５は、単一無線ＳＴＡ１４０もしくはマルチ無線ＳＴＡ１３５等のインターワーキングＳＴＡの代理として、データパスおよび制御パスのアンカ（ｄａｔａ  ｐａｔｈ  ａｎｄ  ｃｏｎｔｒｏｌ  ｐａｔｈ  ａｎｃｈｏｒ）として機能する。ＷＩＦ３２５は、図４を参照して、以下にさらに記載される。図３を参照すると、ＷＩＦ３２５は、ＷＷＡＮ１１０のいくつかのエレメントへのインターフェースとなっており、それらには、第１制御ライン３２６を介したアクセスサービスネットワークゲートウェイ（ＡＳＮ−ＧＷ）３３５、第２制御ライン３２７を介したＡＡＡ３４０エレメント、および第１リンク３２８を介したホームエージェント（ＨＡ）３４５があり、実線はユーザトラフィックを表し、破線は制御トラフィックを表す。ＷＭＡＮ１１０のＨＡ３４５は、インターネット／ＩＰサービス３５０エレメントにリンクされる。ＷＭＡＮ１１０は、ＡＳＮ−ＧＷ３３５にリンクされた１つ以上の基地局３３０等のその他のエレメントも含む。
【００３３】
ある実施形態では、マルチ無線ステーション１３５もしくは単一無線ステーション１４０等のＳＴＡは、ＷＬＡＮ１２０等の第１ネットワークにおいてＡＰ１２５から信号を受信する。ＳＴＡは、信号を調べてＳＳＩＤを識別し、第１ネットワークを用いてＷＭＡＮ１１０等の第２ネットワークにアクセスするネットワーク間のインターワーキングをＡＰ１２５がサポートしているかをＳＳＩＤを用いて判断する。次に、ＳＴＡは第１ネットワークにアソシエーションし、ＷＩＦ３２５を用いて第２ネットワークにアクセスする。
【００３４】
図４は、いくつかの実施形態に係るＷＩＦ３２５エレメントを示す別のブロック図であり、ＷＩＦ３２５エレメントは、ＷｉＦｉアクセスネットワーク（ＡＮ）４３０とＡＡＡサーバ等のＡＡＡ３４０エレメントとの間におけるトンネル認証、認可、アカウンティングのやり取りのためのＡＡＡプロキシ４０５を有する。図４において、実線はユーザトラフィックを表し、破線は制御トラフィックを表す。
【００３５】
ＷＩＦ３２５は、ＷｉＦｉネットワークであってよいＷＬＡＮ１２０からＷｉＭＡＸネットワークであってよいＷＭＡＮ１１０への単一無線ハンドオフを可能にするシングリング転送機能（ｓｉｎｇｌｉｎｇ  ｆｏｒｗａｒｄｉｎｇ  ｆｕｎｃｔｉｏｎ）４１０をさらに有する。ＷＩＦ３２５は、ＩＰアドレスを要求するクライアント要求に応答して、ＰＭＩＰクライアント４２０を介してＨＡ３４５に向かってプロキシモバイルＩＰ（ＰＭＩＰ）手順をトリガするＤＨＣＰプロキシ４１５をさらに有する。ＷＩＦ３２５は、ＷＬＡＮアクセスネットワーク（ＡＮ）４３０からＨＡ３４５へのデータパストンネリングを促進するデータパス機能もしくはモバイルＩＰフォーリンエージェント（ＦＡ）をさらに有する。
【００３６】
可動性（ｍｏｂｉｌｉｔｙ）をサポートするには、ネットワーク間でインターワーキングするための方法を決定する際に、以下の表１に示すように多様な状況を考慮する必要がある。
【表１】
2013521704.tif 000003
【００３７】
ある実施形態では、ネットワーク間でインターワーキングするための方法は、第１ネットワークから信号を受信する段階を備える。信号は、ＷｉＦｉネットワークであるＷＬＡＮ１２０から、単一無線ステーション１４０もしくはマルチ無線ステーション１３５等のＳＴＡが受信してよい。ＳＴＡにおいて信号を調べ、第１ネットワークのアクセスポイント（ＡＰ）がＢＳＳＩＤを使用して仮想ＡＰを展開しているかを判断する。第１ネットワークを用いて第２ネットワークにアクセスするネットワーク間のインターワーキングをＡＰがサポートしているかが、ＢＳＳＩＤを用いて判断される。ＳＴＡは第１ネットワークとアソシエーションし、ＷｉＦｉインターワーキング機能（ＷＩＦ）３２５エレメントを用いて第２ネットワークにアクセスする。
【００３８】
図５は、いくつかの実施形態に係るＷＩＦ３２５エレメントを用いたＷｉＦｉネットワークおよびＷｉＭＡＸネットワークへのネットワークエントリ手順を示す。図１の単一無線ステーション１４０もしくはマルチ無線ステーション１３５であってよい移動局（ＭＳ）５０５を含むいくつかのエレメントがこの手順で使用される。ＷｉＦｉ  ＡＮ５１０、ＷＩＦ３２５、ＨＡ３４５、およびＡＡＡ３４０もこの手順で使用される。
【００３９】
ＭＳ５０５がＷｉＦｉ信号を捕らえ、ＷｉＦｉネットワークを見つけて選択することにより、ＭＳ５０５がＷｉＦｉ  ＡＮ５１０へとアソシエーション５３０することを介して、第１ネットワークへのアクセスを構築する。ＭＳ５０５は、ＷｉＦｉ  ＡＮ５１０を介してＷＩＦ３２５にメッセージを送信することにより、ＷｉＭＡＸネットワークのコアサービスネットワーク（ＣＳＮ）との認証を行うが、ここで、ＡＡＡプロキシ４０５がＭＳ５０５のためにＡＡＡ３４０サーバとの認証を介助する。ＤＨＣＰサーバを見つけるべく、ＤＨＣＰ発見メッセージ５４０がＭＳ５０５からＷＩＦ３２５に送信される。ＷＩＦ３２５のＤＨＣＰプロキシ４１５は、発見目的で用いられてよい。モバイルＩＰ（ＭＩＰ）登録要求５４５がＨＡ３４５に送信され、ＭＩＰ登録応答がＷＩＦ３２５に送信されて、ＭＩＰトンネルが形成される。ＭＳ５０５は、ＷＩＦ３２５のＤＨＣＰプロキシ４１５からＤＨＣＰオファー５５５メッセージを受信する。ＭＳ５０５は、ＤＨＣＰ要求５６０メッセージをＷＩＦ３２５のＤＨＣＰプロキシ４１５に送信することにより、ＤＨＣＰオファー５５５に応答する。ＷＩＦ３２５のＤＨＣＰプロキシ４１５は、ＭＳ５０５にＤＨＣＰアクナレッジメント５６５メッセージを送信し、ＷｉＦｉネットワークからＷｉＭＡＸネットワークにＭＳ５０５から送信されるデータ５７０を提供する。
【００４０】
ＳＴＡによるネットワークエントリ方法は、第１ネットワークおよび第２ネットワークを介して通信を行うよう構成されたＳＴＡによって、第１ネットワークから第１信号を受信する段階を備える。第１ネットワークは、ワイファイ（ＷｉＦｉ）ネットワークであり、第２ネットワークはワイマックス（ＷｉＭＡＸ）ネットワークである。第１ネットワークとのアソシエーションが構築され、ＳＴＡは、ＡＰを介してＷＩＦにＥＡＰメッセージを送信することにより、第２ネットワークで認証される。ＤＨＣＰサーバを見つけるべく、ＤＨＣＰ発見メッセージを送信する。ＳＴＡは、ＤＨＣＰオファーメッセージを受信し、それに応答して、ＤＨＣＰ要求メッセージを送信する。ＷＩＦ３２５からアクナレッジメントを受診し、ＳＴＡは、第１ネットワークを用いて第２ネットワーク上でデータを送信する。
【００４１】
図６は、いくつかの実施形態に係る以前からのコンテキストがない場合の単一無線ハンドオーバを示す。図１の単一無線ステーション１４０もしくはマルチ無線ステーション１３５であってよい移動局（ＭＳ）５０５を含むいくつかのエレメントがこの手順で使用される。ＷｉＦｉ  ＡＮ５１０、ＨＡ３４５、ＡＡＡ３４０、ＷｉＦｉネットワークからＷｉＭＡＸネットワークへの単一無線ハンドオフ（ｓｉｎｇｌｅ  ｒａｄｉｏ  ｈａｎｄｏｆｆ）を可能にするベく用いられるシングリング転送機能（ｓｉｎｇｌｉｎｇ  ｆｏｒｗａｒｄｉｎｇ  ｆｕｎｃｔｉｏｎ）（ＳＦＦ）６０５、ＷｉＭＡＸネットワークにおけるターゲット基地局（ＢＳ）、およびアクセスサービスネットワークゲートウェイ（ＡＳＮ−ＧＷ）３３５もこの手順で使用される。ＳＦＦ６０５は、ＷＩＦ３２５とも呼ばれる。
【００４２】
図６のＭＳ５０５は、たとえば、図５に示す方法を用い、上記のようにして、ＷｉＦｉネットワーク６１５に入る。ＭＳ５０５は、ＷｉＭＡＸネットワークがインターワーキング機能を利用可能であるかを検出し、ＳＦＦ６０５を見つけ出し、ＷｉＭＡＸコンテキスト６２０を形成することを決定する。ＭＳ５０５とＳＦＦ６０５との間の測距（ＲＮＧ）要求（ＲＥＱ）/応答（ＲＳＰ）６２１、局の基本的機能（ＳＢＣ）ＲＥＱ/ＲＳＰ６２２のやり取り、プレアッタチメント（ｐｒｅ−ａｔｔａｃｈｍｅｎｔ）６２３のやり取り、プライバシー鍵管理（ＰＫＭ）/ＥＡＰのやり取り６２４、ＥＡＰ認証のやり取り６２５、ＥＡＰ認証のやり取り６２６、セキュリティのやり取り（ＳＡ）およびトラフィック暗号化鍵（ＴＥＫ）のハンドシェーク６２７、登録（ＲＥＧ）ＲＥＱ/ＲＳＰ６２８、ＭＳアタッチメントＲＥＱ/ＲＳＰ６２９、動的サービス割り当て（ＤＳＡ）ＲＥＱ/ＲＳＰ６３０、およびデータパス登録６３１のやり取りのうちの１つ以上を含む一連のメッセージもしくはコールが交換される。
【００４３】
ＭＳ５０５は、エレメント６４０において、単一無線ハンドオーバを用い、ＷｉＭＡＸネットワークのＳＦＦ６０５へと形成されたトンネルを用いて、ＷｉＭＡＸネットワークにハンドオーバすることを決定する。ＭＯＢ移動局ハンドオーバ（ＭＯＢ＿ＭＳＨＯ）−Ｒｅｑ６４１、ハンドオーバ（ＨＯ）要求６４２、Ｒｅｑ/Ｒｓｐ６４３、ＭＯＢ−ＭＳＨＯ−Ｒｓｐ６４４、ＨＯ−Ｒｓｐ６４５、ＨＯ−Ａｃｋ６４６、ＨＯ−Ａｃｋ６４７、ＭＯＢ＿ＨＯ−Ｉｎｄ６４８、ＭＯＢ＿Ｃｎｆ６４９、Ｃｎｆ/Ａｃｋ６５０、およびＨＯ−Ａｃｋ６５１のうち１つ以上を含む一連のやり取りもしくはコールが実行される。ＷｉＭＡＸへの単一無線ハンドオーバ６６０は、データトラフィック６７０の構築に先立って、ネットワークリエントリ６６１、データパス登録６６２、ＨＯ＿完了６６３、ＨＯ＿完了６６４、ＨＯ−Ａｃｋ６６５、ＨＯ−Ａｃｋ６６６、およびデータパス登録抹消６６７のうちの１つ以上を含む別の一連のメッセージもしくはコールを用いて実行される。破線で囲まれたボックス６８０には、以前からのコンテキストがある場合のＷｉＭＡＸネットワークへの単一無線ハンドオーバ手順が示される。
【００４４】
関連する実施形態において、ＳＴＡは、第１ネットワークに接続し、第２ネットワークの利用可能性を検出する段階を備える方法を用いて、単一無線ハンドオーバを実行する。ＳＴＡは、第２ネットワークの信号転送機能（ｓｉｇｎａｌ  ｆｏｒｗａｒｄｉｎｇ  ｆｕｎｃｔｉｏｎ）（ＳＦＦ）もしくはＷＩＦ３２５のアドレスを見つけ出し、第２ネットワークのＳＦＦへとトンネルを構築する。次に、ＳＴＡは、トンネルを介して第２ネットワークに最初のエントリを実行し、第２ネットワークの基地局１０５へのハンドオーバを実行する。第１ネットワークは、ワイファイ（ＷｉＦｉ）ネットワークであってよく、第２ネットワークはワイマックス（ＷｉＭＡＸ）ネットワークであってよい。
【００４５】
図７は、いくつかの実施形態に係る待機モード（ｉｄｌｅ  ｍｏｄｅ）でのＷｉＦｉネットワークへの単一無線ハンドオーバを示す。図１の単一無線ステーション１４０もしくはマルチ無線ステーション１３５であってよい移動局（ＭＳ）５０５を含むいくつかのエレメントがこの手順で使用される。ＷｉＦｉ  ＡＮ５１０、ＷＩＦ３２５、ターゲットＢＳ６１０、ＡＳＮ−ＧＷ３３５、ＨＡ３４５、およびＡＡＡ３４０もこの手順で使用される。
【００４６】
ＭＳ５０５、ターゲットＢＳ６１０、およびＨＡ３４５の間でデータトラフィック７０５がやり取りされており、ＷｉＦｉ７１０へのハンドオーバが決定される。ＷｉＭＡＸが待機状態７２０にある状態で、ＥＡＰ認証７２２メッセージもしくはコールが、ＭＳ５０５、ＷｉＦｉ  ＡＮ５１０、ＷＩＦ３２５、およびＡＡＡ３４０の間で交換される。エレメント７３０において、ＩＰ仮想アダプタがＷｉＦｉに切り替えられる。ＤＨＣＰサーバを見つけるべく、ＤＨＣＰ発見メッセージ７３２がＭＳ５０５からＷＩＦ３２５に送信される。ＷＩＦ３２５のＤＨＣＰプロキシ４１５は、発見目的に用いられてよい。モバイルＩＰ（ＭＩＰ）登録要求７３４がＨＡ３４５に送信され、ＭＩＰ登録応答７３６がＷＩＦ３２５に送信される。ＭＳ５０５は、ＷＩＦ３２５のＤＨＣＰプロキシ４１５からＤＨＣＰオファー７３８メッセージを受信する。ＭＳ５０５は、ＷＩＦ３２５のＤＨＣＰプロキシ４１５にＤＨＣＰ要求７４０メッセージを送信することにより、ＤＨＣＰオファー５５５に応答する。ＷＩＦ３２５のＤＨＣＰプロキシ４１５からＭＳ５０５にＤＨＣＰアクナレッジメント７４２メッセージが送信され、ＭＳ５０５との間で交換されるデータ７５０が提供される。
【００４７】
図８は、いくつかの実施形態に係る以前からのコンテキストがある場合のＷｉＦｉへの単一無線ハンドオーバを示す。ＭＳ５０５、ＷｉＦｉ  ＡＮ５１０、ＷＩＦ３２５、ターゲットＢＳ６１０、ＡＳＮ−ＧＷ３３５、およびＨＡ３４５の間でデータトラフィック７０５がやり取りされており、ＷｉＦｉ８２０へのハンドオーバが決定される。エレメント８３０において、ＩＰ仮想アダプタがＷｉＦｉに切り替えられる。ＤＨＣＰサーバを見つけるべく、ＭＳ５０５からＷＩＦ３２５にＤＨＣＰ発見メッセージ８３２が送信される。モバイルＩＰ（ＭＩＰ）登録要求８３４がＨＡ３４５に送信され、ＭＩＰ登録応答８３６がＷＩＦ３２５に送信される。ＭＳ５０５は、ＷＩＦ３２５のＤＨＣＰプロキシ４１５からＤＨＣＰオファー８３８メッセージを受信する。ＭＳ５０５は、ＷＩＦ３２５のＤＨＣＰプロキシ４１５にＤＨＣＰ要求８４０メッセージを送信することにより、ＤＨＣＰオファー８３８に応答する。ＷＩＦ３２５のＤＨＣＰプロキシ４１５からＭＳ５０５にＤＨＣＰアクナレッジメント８４２が送信され、ＭＳ５０５との間で交換されるデータ８５０が提供される。
【００４８】
図９は、いくつかの実施形態に係るインターワーキング機能（ＷＩＦ）においてアクセス制御を行う単一無線ハンドオーバを示す。ＭＳ５０５、ターゲットＢＳ６１０、ＡＳＮ−ＧＷ３３５、およびＨＡ３４５の間でデータトラフィック９１０がやり取りされており、エレメント９２０においてＷｉＦｉへのハンドオーバが決定される。エレメント９３０において、ＭＳ５０５、ＷｉＦｉ  ＡＮ５１０、およびＷＩＦ３２５の間で、ＷＩＦ/ＳＦＦ発見および認証のプロセスが実行される。ＭＳ５０５、ＷＩＦ３２５、ターゲットＢＳ６１０、およびＡＳＮ−ＧＷ３３５の間で、非制御ハンドオーバ（ＨＯ）（ＲＮＧ−ＲＥＱ/ＩＰ）９３２、コンテキスト回復（Ｃｏｎｔｅｘｔ  Ｒｅｔｒｉｅｖａｌ）９３４、ＷｉＦｉへのハンドオーバの要求９３６、ＷｉＦｉへのハンドオーバ応答９３８、ハンドオーバ完了９４０、ハンドオーバ完了９４２、ハンドオーバＡＣＫ９４４、およびハンドオーバ完了９４６メッセージを含む一連のメッセージがやり取りされる。
【００４９】
エレメント９５０において、ＩＰ仮想アダプタがＷｉＦｉに切り替えられる。ＤＨＣＰサーバを見つけるべく、ＤＨＣＰ発見メッセージ９５２がＭＳ５０５からＷＩＦ３２５に送信される。モバイルＩＰ（ＭＩＰ）登録要求９５４がＨＡ３４５に送信され、ＭＩＰ登録応答９５６がＷＩＦ３２５に送信される。ＭＳ５０５は、ＷＩＦ３２５のＤＨＣＰプロキシ４１５からＤＨＣＰオファー９５８メッセージを受信する。ＭＳ５０５は、ＷＩＦ３２５のＤＨＣＰプロキシ４１５にＤＨＣＰ要求９６０メッセージを送信することにより、ＤＨＣＰオファー８３８に応答する。ＷＩＦ３２５のＤＨＣＰプロキシ４１５からＭＳ５０５にＤＨＣＰアクナレッジメント９６２メッセージが送信され、ＭＳ５０５との間で交換されるデータ９７０が提供される。
【００５０】
図１０は、ネットワーク間のインターワーキング方法のフローチャートであり、本方法は、エレメント１０００において第１ネットワークから信号を受信する段階を備える。信号は、ＳＴＡがＷＬＡＮ１２０から受信してよく、ＷＬＡＮ１２０はＷｉＦｉネットワークである。エレメント１０１０において、ＳＴＡは信号を調べ、サービスセットＩＤ（ＳＳＩＤ）を識別する。エレメント１０２０において、第１ネットワークを用いて第２ネットワークにアクセスするネットワーク間のインターワーキングをＡＰがサポートしているかをＳＳＩＤを用いて判断する。エレメント１０３０において、ＳＴＡは第１ネットワークにアソシエーションし、ＷｉＦｉインターワーキング機能（ＷＩＦ）３２５を用いて第２ネットワークにアクセスする。
【００５１】
本明細書においては、命令、機能、手順、データ構造、アプリケーションプログラム、構成設定等のデータを参照して実施形態を記載した。本開示の目的においては、「プログラム」という用語は、アプリケーション、ドライバ、処理、ルーチン、方法、モジュール、およびサブプログラムを含む広い範囲のソフトウェア構成要素および構成概念を範囲に含む。「プログラム」とうい用語は、完全なコンパイル単位（つまり、独立してコンパイルできる命令のセット）、コンパイル単位の集合体、もしくはコンパイル単位の一部について言及するべく用いることができる。したがって、「プログラム」とうい用語は、無線通信システム１００によって実行されたときに所望の信号の伝送が実行される任意の命令の集合体を言及するべく用いられうる。無線通信システム１００におけるプログラムは、ソフトウェア環境の構成要素と見なしうる。
【００５２】
本明細書に記載した動作は、一般的に、有形媒体上に規定どおりにコード命令として実現された適切なファームウェアもしくはソフトウェアの実行を介して促進される。したがって、本発明の実施形態は、何らかの形態のプロセシングコアで実行され、もしくは機械可読媒体の上もしくは内部において実施もしくは実現される命令のセットを含みうる。機械可読媒体は、機械（たとえば、コンピュータ）によって読み出し可能な形態で情報を記憶もしくは送信する任意のメカニズムを含む。たとえば、機械可読媒体は、読み出し専用メモリ（ＲＯＭ）、ランダムアクセスメモリ（ＲＡＭ）、磁気ディスク記憶媒体、光記憶媒体、フラッシュメモリ装置等の製品であってよい。さらに、機械可読媒体は、伝播信号、たとえば、電気、光、音声、もしくはその他の形態の伝播信号（たとえば、搬送波、赤外線信号、デジタル信号等）であってよい。
【００５３】
本発明のいくつかの特徴を図示し、本明細書に記載したが、当業者であれば、多くの改変、置換、変更、および均等物に想到するであろう。したがって、添付の特許請求の範囲は、このような改変および変更を、本発明の真の趣旨内にあるものとして、その範囲に含むことを意図していることが理解されるべきである。
【図１】
2013521704.tif 000004
【図２】
2013521704.tif 000005
【図３】
2013521704.tif 000006
【図４】
2013521704.tif 000007
【図５】
2013521704.tif 000008
【図６】
2013521704.tif 000009
【図７】
2013521704.tif 000010
【図８】
2013521704.tif 000011
【図９】
2013521704.tif 000012
【図１０】
2013521704.tif 000013
【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
ネットワーク間のインターワーキング（ｉｎｔｅｒｗｏｒｋｉｎｇ）方法であって、
第１ネットワークのアクセスポイント（ＡＰ）から信号を受信する段階と、
前記信号を調べて、サービスセットＩＤ（ＳＳＩＤ）を識別する段階と、
前記第１ネットワークを用いて第２ネットワークにアクセスするネットワーク間のインターワーキングを前記ＡＰがサポートしているかを、前記ＳＳＩＤを用いて判断する段階と、
前記第１ネットワークにアソシエーションし、ワイファイ（ＷｉＦｉ）インターワーキング機能（ＷＩＦ）エレメントを用いて前記第２ネットワークにアクセスする段階と
を備える方法。
【請求項２】
前記ＡＰは、キャリアクラスＷｉＦｉ  ＡＰ（ｃａｒｒｉｅｒ−ｃｌａｓｓ  ＷｉＦｉ  ＡＰ）である請求項１に記載の方法。
【請求項３】
前記ＳＳＩＤは、インターワーキング（ＩＷＫ）ＳＳＩＤである請求項１に記載の方法。
【請求項４】
複数のＳＳＩＤから前記ＩＷＫ  ＳＳＩＤを選択する段階をさらに備え、各ＳＳＩＤは別の仮想ローカルエリアネットワーク（ＶＬＡＮ）にマップされている請求項３に記載の方法。
【請求項５】
前記ＷＩＦエレメントは、認証・認可・アカウンティング（ＡＡＡ）機能、シングリング転送機能（ＳＦＦ）、およびモバイルインターネットプロトコル（ＩＰ）フォーリンエージェント（ＦＡ）もしくはデータパス機能を有する請求項３に記載の方法。
【請求項６】
前記ＳＳＩＤは、ブロードキャストＳＳＩＤである請求項１に記載の方法。
【請求項７】
前記第１ネットワークはＷｉＦｉネットワークであり、前記第２ネットワークはワイマックス（ＷｉＭＡＸ）ネットワークである請求項１に記載の方法。
【請求項８】
ネットワークエントリ方法であって、
第１ネットワークおよび第２ネットワークを介して通信するよう構成されたステーション（ＳＴＡ）を用いて、前記第１ネットワークから第１信号を受信する段階と、
前記第１ネットワークとのアソシエーションを構築する段階と、
アクセスポイント（ＡＰ）を介してＷｉＦｉインターワーキング機能（ＷＩＦ）に拡張可能認証プロトコル（ＥＡＰ）メッセージを送信することにより、前記第２ネットワークにおいて前記ＳＴＡを認証する段階と、
動的ホスト構成プロトコル（ＤＨＣＰ）発見メッセージを送信して、ＤＨＣＰサーバを見つける段階と、
ＤＨＣＰオファーメッセージを受信する段階と、
ＤＨＣＰ要求メッセージにより前記ＤＨＣＰオファーメッセージに応答する段階と、
前記ＷＩＦエレメントからアクナレッジメントを受信する段階と、
前記第１ネットワークを用いて前記第２ネットワーク上でデータを送信する段階と
を備える方法。
【請求項９】
前記第１ネットワークは、ワイファイ（ＷｉＦｉ）ネットワークであり、前記第２ネットワークは、ワイマックス（ＷｉＭＡＸ）ネットワークである請求項８に記載の方法。
【請求項１０】
前記ＳＴＡは、前記ＷＩＦエレメントの認証・認可・アカウンティング（ＡＡＡ）プロキシに拡張可能認証プロトコル（ＥＡＰ）メッセージを送信することにより、前記第２ネットワークで認証される請求項９に記載の方法。
【請求項１１】
前記ＤＨＣＰ発見メッセージは、前記ＷＩＦに送信される請求項８に記載の方法。
【請求項１２】
前記ＤＨＣＰオファーメッセージは、前記ＷＩＦから受信される請求項８に記載の方法。
【請求項１３】
前記ＤＨＣＰ要求メッセージは、前記ＷＩＦに送信される請求項１２に記載の方法。
【請求項１４】
前記ＡＰは、マルチプルブロードキャストサービスセットＩＤ（ＢＳＳＩＤ）をサポートするよう構成されている請求項８に記載の方法。
【請求項１５】
単一無線ハンドオーバ方法であって、
単一無線ステーション（ＳＴＡ）を用いて第１ネットワークに接続する段階と、
第２ネットワークの利用可能性を検出する段階と、
前記第２ネットワークの信号転送機能（ＳＦＦ）のアドレスを見つけ出す段階と、
前記第２ネットワークの前記ＳＦＦにトンネルを構築する段階と、
前記トンネルを介して前記第２ネットワークに最初のエントリを実行する段階と、
前記第２ネットワークの基地局にハンドオーバを実行する段階と
を備える方法。
【請求項１６】
前記第１ネットワークは、ワイファイ（ＷｉＦｉ）ネットワークであり、前記第２ネットワークは、ワイマックス（ＷｉＭＡＸ）ネットワークである請求項１５に記載の方法。
【請求項１７】
前記ＷｉＭＡＸネットワークの前記ＳＦＦに前記トンネルを構築する段階は、前記ＳＦＦにＳＴＡ基本的機能（ＳＢＣ）要求を送信する段階を有する請求項１６に記載の方法。
【請求項１８】
前記ＷｉＭＡＸネットワークの前記ＳＦＦに前記トンネルを構築する段階は、プライバシー鍵管理（ＰＫＭ）/ＥＡＰの交換を含む請求項１７に記載の方法。
【請求項１９】
第１ネットワーク上で通信するための第１プロトコル層と、前記第１ネットワークを介して第２ネットワーク上で通信するための第２プロトコル層とを備える単一無線ステーション（ＳＴＡ）であって、第１ネットワークのアクセスポイント（ＡＰ）から信号を受信し、前記信号を調べてサービスセットＩＤ（ＳＳＩＤ）を識別して前記ＡＰがネットワーク間のインターワーキングをサポートしているかを判断し、前記第１ネットワークにアソシエーションしてワイファイ（ＷｉＦｉ）インターワーキング機能（ＷＩＦ）エレメントを用いて前記第２ネットワークにアクセスするＳＴＡ。
【請求項２０】
動的ホスト構成プロトコル（ＤＨＣＰ）を用いて前記第２ネットワークを見つけ出す請求項１９に記載のＳＴＡ。
【請求項２１】
インターワーキング（ＩＷＫ）ＳＳＩＤを受信する請求項１９に記載のＳＴＡ。
【請求項２２】
前記ＡＰによって送信される複数のＳＳＩＤから前記ＩＷＫ  ＳＳＩＤを探し出す請求項２１に記載のＳＴＡ。
【請求項２３】
前記ＳＳＩＤは、キャリアクラスＷｉＦｉ  ＡＰからのブロードキャストＳＳＩＤ（ＢＳＳＩＤ）である請求項１９に記載のＳＴＡ。
【請求項２４】
前記第１ネットワークはＷｉＦｉネットワークであり、前記第２ネットワークはワイマックス（ＷｉＭＡＸ）ネットワークである請求項１９に記載のＳＴＡ。
【請求項２５】
コンピュータに、
第１ネットワークのアクセスポイント（ＡＰ）から信号を受信する段階と、
前記信号を調べてサービスセットＩＤ（ＳＳＩＤ）を識別する段階と、
前記第１ネットワークを用いて第２ネットワークにアクセスするネットワーク間のインターワーキングを前記ＡＰがサポートしているかを、前記ＳＳＩＤを用いて判断する段階と、
前記第１ネットワークにアソシエーションし、ワイファイ（ＷｉＦｉ）インターワーキング機能（ＷＩＦ）エレメントを用いて前記第２ネットワークにアクセスする段階と
を実行させるためのプログラム。
【請求項２６】
前記ＳＳＩＤは、インターワーキング（ＩＷＫ）ＳＳＩＤである請求項２５に記載のプログラム。
【請求項２７】
前記第１ネットワークはＷｉＦｉネットワークであり、前記第２ネットワークはワイマックス（ＷｉＭＡＸ）ネットワークである請求項２５に記載のプログラム。
【国際調査報告】
2013521704.tif 000014
2013521704.tif 000015